(57)【要約】【課題】煩雑な操作を行うことなく複数の周波数に対応可能な携帯受信機及び無線書込装置を提供する。【解決手段】本発明の一の実施形態に係る携帯受信機は、放送電波を受信し、この放送電波を周波数データに応じて復調し、音声信号に変換する復調回路と、上記周波数データを記憶する記憶手段と、電源投入時にこの記憶手段を参照し、周波数データを読み出して復調回路に出力する制御回路と、無線書込装置からの無線信号を受信し、この受信した無線信号に応じて上記記憶手段にアクセスし、記憶手段から読み出される周波数データ又はそれを指示する情報を書き換える無線通信手段と、復調回路、記憶手段、制御回路及び無線通信手段を収納するケースと、を備える。【選択図】図４
2018093462.tif 000002
【特許請求の範囲】
【請求項１】
放送電波を受信し、この放送電波を周波数データに応じて復調し、音声信号に変換する復調回路と、
前記周波数データを記憶する記憶手段と、
電源投入時に前記記憶手段を参照し、前記周波数データを読み出して前記復調回路に出力する制御回路と、
無線書込装置からの無線信号を受信し、この受信した無線信号に応じて前記記憶手段にアクセスし、前記記憶手段から読み出される周波数データ又はそれを指示する情報を書き換える無線通信手段と、
前記復調回路、前記記憶手段、前記制御回路及び前記無線通信手段を収納するケースと
を備えたことを特徴とする携帯受信機。
【請求項２】
前記無線通信手段は、前記無線信号を介して供給された電力によって、前記記憶手段にアクセスする
ことを特徴とする請求項１記載の携帯受信機。
【請求項３】
前記無線通信手段は、前記無線信号を介して供給された電力によって、前記無線書込装置に所定のデータを送信する
ことを特徴とする請求項１又は２記載の携帯受信機。
【請求項４】
前記復調回路、前記記憶手段及び前記制御回路に電力を供給するバッテリーを更に備え、
前記制御回路は、前記無線信号を介して供給された電力によって前記バッテリーの残量を測定し、このバッテリーの残量を前記所定のデータとして前記無線通信手段を介して前記無線書込装置に送信する
ことを特徴とする請求項３記載の携帯受信機。
【請求項５】
どの方向からでも前記無線信号を受信可能に構成されたことを特徴とする請求項１〜４のいずれか１項記載の携帯受信機。
【請求項６】
前記ケースには、前記復調回路を起動する起動操作手段及び前記音声信号の音量を調整する音量調整手段が設けられ、
前記制御回路は、前記起動操作手段が操作されたタイミングで、前記起動操作手段及び前記音量調整手段の操作の組み合わせに応じて前記記憶手段から読み出される周波数データ又はそれを指示する情報を書き換える
ことを特徴とする請求項１〜５のいずれか１項記載の携帯受信機。
【請求項７】
前記ケースの背面に設けられ、前記携帯受信機をユーザの衣服等に取り付け可能に構成された取付手段を更に備えたことを特徴とする請求項１〜６のいずれか１項記載の携帯受信機。
【請求項８】
前記制御回路は、前記電源投入時及び前記周波数データ又はそれを指示する情報の書き換え時の少なくとも一方のタイミングで、前記音声信号に換えて、又は前記音声信号と共に、前記周波数データに対応する判別音信号又は案内音声信号を出力することを特徴とする請求項１〜７のいずれか１項記載の携帯受信機。
【請求項９】
前記制御回路は、前記電源投入時及び前記周波数データ又はそれを指示する情報の書き換え時の少なくとも一方のタイミングで、
前記音声信号の出力を停止し、
前記周波数データに対応する回数だけ前記音声信号の出力及び停止を繰り返し、
前記音声信号の出力を開始する
ことを特徴とする請求項１〜７のいずれか１項記載の携帯受信機。
【請求項１０】
請求項１〜９のいずれか１項記載の携帯受信機に前記無線信号を送信することを特徴とする前記無線書込装置。
【発明の詳細な説明】
【技術分野】
【０００１】
本発明は、携帯受信機及び無線書込装置に関する。
【背景技術】
【０００２】
放送電波を受信し、この放送電波を音声信号に変換する復調回路を備えた携帯受信機が知られている。
【先行技術文献】
【特許文献】
【０００３】
【特許文献１】特開平１１−２２５０３０号公報
【特許文献２】特開２００６−２２９３４３号公報
【特許文献３】特開２００６−２９５８６６号公報
【発明の概要】
【発明が解決しようとする課題】
【０００４】
このような携帯受信機は、例えば、相撲や野球等のスポーツ観戦の会場や国際会議の会場等で来場者に配布されることがある。これにより、来場者は、スポーツ観戦を行いつつスポーツの実況中継を聞き、又は、国際会議において所望の言語による同時通訳等を聞くことが可能となる。
【０００５】
このような場合、携帯受信機によって選択しうる周波数が多数であると、ユーザは、スポーツ観戦等の前に多数の周波数から適切な周波数を選択する必要が生じるため、煩雑な操作が必要となってしまい、スポーツ観戦等に集中できない場合がある。一方、選択しうる周波数を一つに決めてしまうと、一つの試合等について複数の放送局が異なる実況放送等を行っている場合に、予め定められた１つの放送局による放送しか聞けなくなってしまう。
【０００６】
本発明はこのような課題に鑑みなされたものであり、煩雑な操作を行うことなく複数の周波数に対応可能な携帯受信機を提供することを目的とする。
【課題を解決するための手段】
【０００７】
本発明の一の実施形態に係る携帯受信機は、放送電波を受信し、この放送電波を周波数データに応じて復調し、音声信号に変換する復調回路と、上記周波数データを記憶する記憶手段と、電源投入時にこの記憶手段を参照し、上記周波数データを読み出して復調回路に出力する制御回路と、無線書込装置からの無線信号を受信し、この受信した無線信号に応じて上記記憶手段にアクセスし、記憶手段から読み出される周波数データ又はそれを指示する情報を書き換える無線通信手段と、復調回路、記憶手段、制御回路及び無線通信手段を収納するケースと、を備える。
【０００８】
また、上記携帯受信機においては、上記無線通信手段が、無線信号を介して供給された電力によって、上記記憶手段にアクセスしても良い。
【０００９】
また、上記携帯受信機においては、上記無線通信手段が、無線信号を介して供給された電力によって、上記無線書込装置に所定のデータを送信しても良い。
【００１０】
例えば、上記携帯受信機は、復調回路、記憶手段及び制御回路に電力を供給する充電式のバッテリーを更に備えていても良い。また、上記制御回路は、無線信号を介して供給された電力によってバッテリーの残量を測定し、このバッテリーの残量を上記所定のデータとして無線通信手段を介して無線書込装置に送信しても良い。
【００１１】
また、上記携帯受信機は、どの方向からでも無線信号を受信可能に構成されても良い。
【００１２】
また、上記ケースには、復調回路を起動する起動操作手段及び音声信号の音量を調整する音量調整手段が設けられても良い。また、上記制御回路は、起動操作手段が操作されたタイミングで、起動操作手段及び音量調整手段の操作の組み合わせに応じて記憶手段から読み出される周波数データ又はそれを指示する情報を書き換えても良い。
【００１３】
また、上記ケースの背面には、携帯受信機をユーザの衣服等に取り付け可能に構成された取付手段が設けられていても良い。
【００１４】
また、上記制御回路は、電源投入時及び周波数データ又はそれを指示する情報の書き換え時の少なくとも一方のタイミングで、上記音声信号に換えて、又は上記音声信号と共に、上記周波数データに対応する判別音信号又は案内音声信号を出力しても良い。
【００１５】
また、上記制御回路は、電源投入時及び周波数データ又はそれを指示する情報の書き換え時の少なくとも一方のタイミングで、上記音声信号の出力を停止し、上記周波数データに対応する回数だけ音声信号の出力及び停止を繰り返し、音声信号の出力を開始しても良い。
【発明の効果】
【００１６】
本発明によれば、煩雑な操作を行うことなく複数の周波数に対応可能な携帯受信機及び無線書込装置を提供することが可能となる。
【図面の簡単な説明】
【００１７】
【図１】本発明の第１の実施形態に係る携帯ラジオ１の外観を示す正面図である。
【図２】同携帯ラジオ１の外観を示す背面図である。
【図３】同携帯ラジオ１の外観を示す側面図である。
【図４】同携帯ラジオ１の構成例を示す機能ブロック図である。
【図５】本発明の第２の実施形態に係る携帯受信機の動作の一例を説明するためのフローチャートである。
【図６】同動作の一例を説明するためのグラフである。
【図７】同動作の一例を説明するためのグラフである。
【発明を実施するための形態】
【００１８】
［第１の実施形態に係る携帯受信機の構成］
図１〜図３は、それぞれ、本発明の第１の実施形態に係る携帯受信機としての携帯ラジオ１の外観を示す正面図、背面図及び側面図である。携帯ラジオ１は、略円盤状に形成されたケース２を備える。ケース２の前面２ａは、例えば、図柄の印刷等を行うことが可能な表示面である。背面２ｂには、携帯ラジオ１の電源を投入又は切断して音声信号の出力を開始又は終了させる起動操作手段３ａ、及び、音声信号の音量を調整する音量調整手段３ｂ，３ｃが設けられる。起動操作手段３ａ及び音量調整手段３ｂ，３ｃは、押しボタンスイッチでもよいし、それ以外の構成でも良い。また、背面２ｂには、携帯ラジオ１をユーザの衣服等に取り付け可能に構成された取付手段４が設けられる。取付手段４は、クリップ、安全ピン等、適宜選択可能である。また、ケース２の下面には、イヤホンやヘッドホン等を接続するための開口５が設けられる。
【００１９】
図４は、携帯ラジオ１の回路構成例を示す機能ブロック図である。携帯ラジオ１は、ケース２の内部に収納されたラジオ復調回路１１、記憶手段１２、制御回路１３、無線通信手段１４、接続手段１５及びバッテリー１６を備える。
【００２０】
ラジオ復調回路１１は、接続手段１５を介してイヤホン６等に接続され、このイヤホン６のケーブル等をアンテナとして放送電波を受信する。ここで言う放送電波は、例えば、７６．０〜１０８．０ＭＨｚの周波数帯域を有するＦＭラジオの放送電波等である。また、ラジオ復調回路１１は、この放送電波を周波数データに応じて復調し、音声信号に変換する。例えば、受信した放送電波から周波数データに応じて任意の周波数成分を抽出し、アナログの音声信号に変換して、イヤホン６等に出力する。また、ラジオ復調回路１１はレジスタを備え、ここに記憶された周波数データや音量データ等の設定データに応じて動作する。ここで言う周波数データは、例えば、ラジオ復調回路１１によって選択される周波数を指定するデジタルデータである。また、ここで言う音量データは、例えば、ラジオ復調回路１１によって生成される音声信号の振幅を調整するためのデジタルデータである。尚、ラジオ復調回路１１は、例えば、集積回路等から構成される。また、放送電波を受信するアンテナは、イヤホン６等のケーブル以外の構成であっても良い。
【００２１】
記憶手段１２は、例えば、周波数データや音量データ等の設定データを記憶する。周波数データは複数通り記憶されていても良いし、一通りのみ記憶されていても良い。また、複数通り記憶される場合、これら周波数データは、携帯ラジオ１が配布される会場において開催されるイベントに関係する周波数データのみであっても良いし、その他の周波数データが含まれていても良い。また、記憶手段１２の所定のアドレス内のデータは、例えば、携帯ラジオ１の電源投入時に制御回路１３によって参照される。このようなアドレスには、例えば、電源投入時に読み出される周波数データ又はそれを指示する情報が記憶される。この情報は、例えば、他のアドレスに記憶された複数の周波数データから一の周波数データを指定するアドレスデータである。尚、記憶手段１２は、例えば、ＥＥＰＲＯＭ等の不揮発性メモリである。記憶手段１２及び無線通信手段１４は、例えば、１つの集積回路から構成されてもよいし、別々の集積回路から構成されても良い。
【００２２】
制御回路１３は、例えば、ＭＣＵ（ Micro Controller Unit ）等の集積回路であり、起動操作手段３ａ及び音量調整手段３ｂ，３ｃの操作に応じて、ラジオ復調回路１１、記憶手段１２、無線通信手段１４等を制御する。また、制御回路１３は、例えば、バッテリー１６の電圧を測定する測定手段を備えていても良い。
【００２３】
無線通信手段１４は、例えば、ＮＦＣ（ Near Field Communication ）タグ、ＲＦ（ Radio-frequency tag ）タグ等のパッシブタグであり、近距離の通信に用いられる。携帯ラジオ１が無線読出／書込装置７に近距離でかざされた場合、無線通信手段１４は、無線読出／書込装置７から無線信号を受信し、この無線信号に応じて命令やデータ等を受信する。また、無線通信手段１４は、この無線信号を介して供給された電力により駆動され、更に、記憶手段１２や制御回路１３を駆動して、これら記憶手段１２や制御回路１３にアクセスすることも可能である。また、無線通信手段１４は、無線信号を介して供給された電力によって、無線読出／書込装置７に所定のデータ等を送信することも可能である。尚、無線通信手段１４は、例えば、どの方向からでも無線信号を送受信可能に構成される。即ち、無線通信手段１４は、ケース２の前面２ａ（図３）側、背面２ｂ側、上下面側及び側面側のいずれの方向からでも無線信号を送受信可能に構成される。ただし、無線通信手段１４は、所定の方向（例えば、ケース２の前面２ａ（図３）側）から無線信号を送受信可能に構成されても良い。
【００２４】
接続手段１５は、ラジオ復調回路１１から出力された音声信号をイヤホンやヘッドホン等に送信する。接続手段１５は、例えば、イヤホンジャックやＵＳＢ（ Universal Serial Bus ）端子等である。尚、接続手段１５は、例えば、バッテリー１６の充電用の端子と兼用であっても良い。
【００２５】
バッテリー１６は、例えばリチウムイオン電池等の充電池であり、ラジオ復調回路１１、記憶手段１２、制御回路１３及び無線通信手段１４に電力を供給する。バッテリー１６は、例えば、接続手段１５を介して充電されても良いし、接続手段１５とは別途設けられた接続手段を介して充電されても良い。尚、携帯ラジオ１は、例えば、バッテリー１６の充電時に発光する発光ダイオード等の発光手段を更に備えていても良い。また、バッテリー１６は、交換式であっても良い。
【００２６】
［第１の実施形態に係る携帯受信機の動作］
次に、携帯ラジオ１の動作について説明する。
【００２７】
まず、電源投入動作について説明する。携帯ラジオ１の電源は、ケース２の背面２ｂに設けられた起動操作手段３ａの操作に伴い投入される。起動操作手段３ａが操作されると、制御回路１３は、記憶手段１２を参照して、周波数データを読み出す。例えば、記憶手段１２の上記所定のアドレスに周波数データが記憶される場合にはこの周波数データを読み出す。また、記憶手段１２の所定のアドレスにアドレスデータが記憶される場合には、まず記憶手段１２からアドレスデータを読み出し、このアドレスデータによって指定された周波数データを読み出す。次に、制御回路１３は、記憶手段１２から音量データ等を読み出し、この音量データ等を周波数データと共に設定データとしてラジオ復調回路１１に送信する。ラジオ復調回路１１は、この設定データに応じて周波数の選択及び音量の調整を行い、アナログの音声信号を生成して、イヤホン６等に出力する。
【００２８】
次に、音量の調整について説明する。例えば、ケース２の背面２ｂに設けられた音量調整手段３ｂ，３ｃが操作されると、制御回路１３は、記憶手段１２から音量データを読み出し、この音量データを参照し、音量を増大させ、又は、減少させるような音量データを新たに生成して、記憶手段１２及びラジオ復調回路１１に送信する。ラジオ復調回路１１は、この音量データに基づいて音声信号の振幅を調整する。
【００２９】
次に、無線通信によるデータの書き換え（ラジオ復調回路１１によって復調される周波数成分の変更）について説明する。無線通信手段１４は、無線読出／書込装置７から無線信号を受信し、この無線信号の受信に応じて、携帯ラジオ１の電源投入時に記憶手段１２から読み出される周波数データ又はそれを指示する情報（アドレスデータ）を書き換える。例えば、記憶手段１２の上記所定のアドレス内の周波数データ又はアドレスデータを書き換える。尚、例えば携帯ラジオ１の電源が切断された状態でデータの書き換えを行う場合、無線通信手段１４は、無線信号を介して供給された電力によって、無線通信手段１４及び記憶手段１２の起動、記憶手段１２へのアクセス、並びに、データの書き換えを行う。これに対して、例えば携帯ラジオ１の電源が投入された状態でデータの書き換えを行う場合には、無線信号を介して供給された電力によってデータの書き換えを行っても良いし、バッテリー１６の電力によってこれを行っても良い。また、この場合には、新たに受信したデータを、例えば、データの書き換えが行われたタイミングでラジオ復調回路１１に送信し、周波数の切替等を行っても良い。
【００３０】
次に、無線通信によるデータの読み出しについて説明する。例えば、無線読出／書込装置７は、所定のデータを読み出す旨の命令を送信する。無線通信手段１４は、無線読出／書込装置７によって指定されたデータを読み出し、読み出したデータを無線読出／書込装置７に送信する。例えば、携帯ラジオ１のシリアルナンバー等のデータを読み出して送信しても良いし、制御回路１３によってバッテリー１６の電圧を測定し、これを送信しても良い。尚、例えば携帯ラジオ１の電源が切断された状態でデータの読み出しを行う場合、無線通信手段１４は、無線信号を介して供給された電力によって、無線通信手段１４、記憶手段１２及び制御回路１３の起動、並びに、データの読み出しや電圧の測定等を行う。これに対して、例えば携帯ラジオ１の電源が投入された状態でデータの読み出しを行う場合には、無線信号を介して供給された電力によってデータの読み出しを行っても良いし、バッテリー１６の電力によってこれを行っても良い。
【００３１】
次に、手動によるデータの書き換え（ラジオ復調回路１１によって復調される周波数成分の変更）について説明する。携帯ラジオ１は、例えば、起動操作手段３ａが操作されたタイミングで、起動操作手段３ａ及び音量調整手段３ｂ，３ｃの操作の組み合わせに応じて、記憶手段１２から読み出される周波数データ又はそれを指示する情報（アドレスデータ）を書き換える。例えば、起動操作手段３ａが操作されるタイミングで音量調整手段３ｂ，３ｃが操作されていなければ、記憶手段１２の上記所定のアドレスに記憶されたデータを書き換えない。一方、このタイミングで音量調整手段３ｂ，３ｃが操作されていた場合には、上記所定のアドレスに記憶されたデータを書き換える。書き換えるデータが周波数データである場合には、例えば、上記他のアドレスに記憶された周波数データから一の周波数データを選択し、上記所定のアドレスにコピーする。アドレスデータである場合には、例えば、このアドレスデータを増減させる。
【００３２】
［第１の実施形態に係る携帯ラジオ１の効果］
携帯ラジオ１は、放送電波を受信し、この放送電波を周波数データに応じて復調し、音声信号に変換するラジオ復調回路１１と、周波数データを記憶する記憶手段１２と、電源投入時にこの記憶手段１２を参照し、周波数データを読み出してラジオ復調回路１１に出力する制御回路１３と、無線読出／書込装置７から無線信号を受信し、この受信した無線信号に応じて記憶手段１２にアクセスし、記憶手段１２から読み出される周波数データ又はそれを指示する情報を書き換える無線通信手段１４と、ラジオ復調回路１１、記憶手段１２、制御回路１３及び無線通信手段１４を収納するケース２と、を備える。
【００３３】
例えば、この様な携帯ラジオ１をスポーツ観戦の会場等で配布する場合には、携帯ラジオ１の電源投入時に記憶手段１２から読み出される周波数データを、スポーツの実況中継を行う放送局に対応させる等、適切に設定することが可能である。このような状態では、携帯ラジオ１の電源投入時に自動的に適切な周波数データが読み出されてラジオ復調回路１１に出力され、ラジオ復調回路１１はこの周波数データに応じて放送電波を復調する。従って、ユーザは、煩雑な操作を必要とすることなく適切な放送を聞くことが可能である。また、携帯ラジオ１の電源投入時に記憶手段１２から読み出される周波数データは、無線通信手段１４によって書き換え可能である。従って、例えば、客席その他会場内の所定の箇所に無線読出／書込装置７を設置したり、無線読出／書込装置７を受付に設置して配布時に所望の放送局を指定すれば、来場者は、携帯ラジオ１を無線読出／書込装置７にかざすだけで、煩雑な操作を行うことなく所望の周波数を選択することが可能である。また、周波数を指定するための手段を、ケース２に別途設けるのではなく、無線通信手段１４とすることにより、スイッチ等の数を削減し、部品点数の削減を行うと共に、スイッチ等の数の増大に伴う操作の煩雑化を防止することが可能である。
【００３４】
また、携帯ラジオ１においては、無線読出／書込装置７から無線信号を受信し、この無線信号を介して供給された電力により記憶手段１２にアクセスし、ラジオ復調回路１１に送信される周波数データ又はそれを指示する情報を書き換える。従って、周波数データ又はそれを指示する情報の書き換えを行う際、携帯ラジオ１の主電源を操作する必要が無い。従って、例えば複数のユーザがそれぞれの携帯ラジオ１について周波数を指定する場合等にも円滑かつ迅速に周波数の指定を行うことが可能である。また、例えば主催者等が多数の携帯ラジオ１について予め周波数を指定する場合等にも、作業性を向上させることが可能である。
【００３５】
また、携帯ラジオ１においては、無線通信手段１４が、無線信号を介して供給された電力によって、無線読出／書込装置７に所定のデータを送信可能である。従って、例えば、スポーツ観戦や国際会議の会場等の退場口に無線読出／書込装置７を設置して、携帯ラジオ１のシリアルナンバーを所定のデータとして読み出すことにより、来場者の入退場を把握することが可能である。
【００３６】
また、例えば、携帯ラジオ１は、ラジオ復調回路１１、記憶手段１２及び制御回路１３に電力を供給するバッテリー１６を更に備えており、制御回路１３は、無線信号を介して供給された電力によってバッテリー１６の残量を測定し、このバッテリー１６の残量を上記所定のデータとして無線通信手段１４に送信可能である。従って、バッテリー１６の残量を容易に読み出すことが可能である。
【００３７】
また、携帯ラジオ１は、どの方向からでも無線信号を受信可能に構成される。従って、ユーザが携帯ラジオ１を衣服等に取り付けた状態で周波数データ又はそれを指示する情報の書き換えや、上記所定のデータの読み出し等を行うことが可能である。
【００３８】
また、ケース２には、ラジオ復調回路１１を起動する起動操作手段３ａ及び音声信号の音量を調整する音量調整手段３ｂ，３ｃが設けられる。また、制御回路１３は、起動操作手段３ａが操作されたタイミングで、起動操作手段３ａ及び音量調整手段３ｂ，３ｃの操作の組み合わせに応じて記憶手段１２から読み出される周波数データ又はそれを指示する情報を書き換える。従って、ユーザは、無線読出／書込装置７が無い状態でも周波数を指定することが可能である。
【００３９】
また、ケース２の背面２ｂには、携帯ラジオ１をユーザの衣服等に取り付け可能に構成された取付手段４が設けられていても良い。これにより、ユーザは、携帯ラジオ１の存在を意識することなくスポーツ観戦等に集中することが可能となる。
【００４０】
また、起動操作手段３ａ及び音量調整手段３ｂ，３ｃは、ケース２の背面２ｂに設けられている。従って、スポーツ観戦等の際に起動操作手段３ａや音量調整手段３ｂ，３ｃが誤操作されてしまうことを抑制することが可能となる。
【００４１】
［第２の実施形態に係る携帯受信機の動作］
第２の実施形態に係る携帯ラジオの構成及び動作は、基本的には第１の実施形態に係る携帯ラジオと同様であるが、電源投入時及びデータ（周波数データ又はそれを指示する情報）の書き換え時の少なくとも一方のタイミングで、イヤホン６等に判別音信号又は案内音声信号を出力し、これによってユーザが現在選択されている周波数データ（周波数、放送局）を判別するための判別音又は案内音声を発生させる点において異なる。携帯ラジオは複数通りの判別音又は案内音声を取扱い可能であり、各判別音又は案内音声は各周波数データと一対一で対応する。また、判別音は、それぞれ、お互いに異なる。判別音は、例えば、所定の音声パルスやラジオ復調回路１１からの音声信号等を、周波数データに応じた回数、タイミング、リズム、長さ又はこれらの組み合わせで鳴らすものであっても良い。また、案内音声は、例えば、人の声等の音声によって現在選択されている周波数（周波数データ、放送局）を案内するものであっても良い。
【００４２】
図５は、判別音の生成処理の一例を示すフローチャートである。また、図６、図７は、図５の例について説明するためのグラフであり、縦軸はイヤホン６等から出力される音声の音量（音声信号、判別音信号の電流の大きさ）を、横軸は時間を示している。この例において、判別音信号は、ラジオ復調回路１１からの音声信号を、一瞬だけ出力することによってクリック音、パルス音、アタック音の様なもの（以下、単に「クリック音」と呼ぶ。）を発生させることによって生成する。また、周波数データの識別は、図６、図７に例示するように、音声信号を発生させる回数によって行う。例えば、携帯ラジオが２つの周波数（放送局）に対応している場合、１つ目の周波数データが選択されている場合には図６に例示するように１回、２つ目の周波数データが選択されている場合には図７に例示するように２回発生させても良い。尚、図５の動作は、電源投入時及びデータの書き換え時の少なくとも一方のタイミングで行われる。
【００４３】
ステップＳ１０１においては、図６のｔ１１，図７のｔ２１に例示するように、ラジオ復調回路１１からの音声信号の出力を停止する。
【００４４】
ステップＳ１０２においては、音声信号を発生させる回数を判別する。例えば、制御回路１３は、記憶手段１２内の予め指定されたアドレスを参照し、ここに記憶された判別音データを読み出しても良いし、このアドレスにアドレスデータが記憶される場合には、このアドレスデータによって指定された判別音データを読み出しても良い。尚、ここで言う判別音データは、周波数データに対応する判別音を生成するためのデータであり、制御回路１３はこの判別音データに基づいて判別音信号を生成する。図５の例において、判別音データはクリック音を発生させる回数を指定するデータである。尚、判別音データの読み出しは、例えば、周波数データの読み出しと同時に行われても良い。更に、上記予め指定されたアドレスに記憶された判別音データ又はそれを指定する情報の書き換えは、周波数データ又はそれを指定する情報の書き換えと同時に行われても良い。
【００４５】
ステップＳ１０３においては、音声信号の出力停止からの時間経過を監視し、所定時間Ｔ１の経過の後に監視を終了する。尚、ここで言う「所定時間」は、例えば、ステップＳ１０１で停止された音声信号と、ステップＳ１０４で開始される音声信号とが連続的な音に聞こえない程度に長い。例えば、０．０１秒〜０．５秒程度であっても良い。
【００４６】
ステップＳ１０４においては、図６のｔ１２，図７のｔ２２に例示する通り、音声信号の出力を開始する。
【００４７】
ステップＳ１０５においては、音声信号の出力開始からの時間経過を監視し、所定時間Ｔ２の経過の後に監視を終了する。尚、ここで言う「所定時間」は、例えば、ラジオ復調回路１１からの音声信号がクリック音、パルス音、アタック音の様に聞こえる程度の時間であり、ユーザが音声信号の意味内容を理解可能な時間よりも短く、ユーザが聞き取れる程度に長い。例えば、０．０１秒〜０．５秒程度であっても良い。
【００４８】
ステップＳ１０６においては、図６のｔ１３，図７のｔ２３に例示する通り、音声信号の出力を停止する。
【００４９】
ステップＳ１０７においては、音声信号の出力停止からの時間経過を監視し、所定時間Ｔ３の経過の後に監視を終了する。尚、ここで言う「所定時間」は、例えば、ステップＳ１０４〜Ｓ１０６の間に出力される音声信号が連続的な音に聞こえない程度に長い。例えば、０．０１秒〜０．５秒程度であっても良い。
【００５０】
ステップＳ１０８においては、ステップＳ１０４〜Ｓ１０７の音声信号の出力が所定回数分だけ実行されたか否かが確認され、実行されていない場合にはステップＳ１０４に戻り、実行されていた場合にはステップＳ１０９に進む。例えば、「所定回数」が一回であった場合には図６に例示するようにクリック音を一回発生させた後にステップＳ１０９に進み、「所定回数」が二回であった場合には図７に例示するようにクリック音を二回発生させた後にステップＳ１０９に進む。
【００５１】
ステップＳ１０９においては、図６のｔ１４，図７のｔ２６に例示する通り、ラジオ復調回路１１からの音声信号の出力を開始する。
【００５２】
［第２の実施形態に係る携帯受信機の効果］
本実施形態において、制御回路１３は、携帯ラジオの電源投入時及び周波数データ又はそれを指示する情報の書き換え時の少なくとも一方のタイミングで、音声信号に換えて、周波数データに対応する判別音信号を出力する。従ってユーザは、これによってイヤホン６から出力される判別音によって現在選択されている周波数データ（周波数、放送局）を判別可能であり、例えば視覚障害者による操作時や暗所での操作時に利便性を向上させることが可能である。また、この方法によれば、携帯受信機にディスプレイ等の構成を設けることなく現在選択されている周波数データを判別可能であり、製造コストの削減、及び、より自由なデザインの実現が可能である。
【００５３】
また、図５の例において、制御回路１３は、携帯ラジオの電源投入時及び周波数データ又はそれを指示する情報の書き換え時の少なくとも一方のタイミングで、音声信号の出力を停止し（ステップＳ１０１）、周波数データに対応する回数だけ音声信号の出力及び停止を繰り返し（ステップＳ１０４〜Ｓ１０８）、音声信号の出力を開始する（ステップＳ１０９）。この様な方法は、ラジオ復調回路１１と接続手段１５との間に他の構成を挿入することなく、制御回路１３を操作するソフトウェア、ファームウェアのみによって実現可能であり、安価に実現可能である。
【００５４】
［その他の実施形態］
本発明は、携帯ラジオだけでなく、例えば、国際会議の会場等で使用される携帯受信機等にも適用可能である。この場合、携帯受信機は、例えば、放送局からの放送電波でなく、館内放送の放送電波を受信しても良い。これにより、参加者は、携帯受信機を無線読出／書込装置７にかざすだけで、煩雑な操作を行うことなく所望の周波数を選択し、例えば言語等を選択することが可能である。
【００５５】
また、上述の判別音信号は、所定の音声パルスや復調回路からの音声信号等を、周波数データ（周波数、放送局）に応じた回数、タイミング、リズム、長さ又はこれらの組み合わせで発生させて生成されるものであっても良い。また、上記判別音データは、例えば、回数、タイミング、リズム、長さ又はこれらの組み合わせを指定するデータであっても良い。また、上述の案内音声信号は、周波数（周波数データ、放送局）毎に全く異なる音を発生させる信号であっても良い。また、上記案内音声データは、例えば、音声データであっても良い。また、復調回路からの音声信号以外の音声信号を使用して判別音信号又は案内音声を生成する場合、例えば、制御回路と接続手段との間に、判別音信号又は案内音声を生成するＤＡコンバータ等の構成を設けても良い。また、この場合、判別音信号又は案内音声は復調回路からの音声信号に換えて出力しても良いし、この音声信号と共に出力しても良い。
【符号の説明】
【００５６】
１…携帯ラジオ、２…ケース、３ａ…起動操作手段、３ｂ，３ｃ…音量調整手段、４…取付手段、５…開口、６…イヤホン、７…無線読出／書込装置、１１…ラジオ復調回路、１２…記憶手段、１３…制御回路、１４…無線通信手段、１５…接続手段、１６…バッテリー。
【図１】
2018093462.tif 000003
【図２】
2018093462.tif 000004
【図３】
2018093462.tif 000005
【図４】
2018093462.tif 000006
【図５】
2018093462.tif 000007
【図６】
2018093462.tif 000008
【図７】
2018093462.tif 000009